【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
体内に胃内デバイスを配置するための電磁システムであって、
電磁場を発生させるように構成される電磁場発生器；
前記システムと結合するように構成され、ｉｎ  ｖｉｖｏの胃内環境中で電磁場に曝露された場合に電流を生成するようにさらに構成される嚥下可能な電磁気センサー；および
胃内容積占有デバイスが前記ｉｎ  ｖｉｖｏの胃内環境にある場合、前記胃内デバイス中に初期充填流体を導入するように構成されるバルブシステムであって、前記胃内デバイスと解放可能に結合するように構成される嚥下可能なカテーテルを含む、前記バルブシステム
を含む、前記システム。
【請求項２】
前記電磁気センサーが前記嚥下可能なカテーテルと結合するように構成される、請求項１に記載のシステム。
【請求項３】
前記電磁気センサーが前記嚥下可能なカテーテルの遠位末端と結合するように構成される、請求項２に記載のシステム。
【請求項４】
前記電磁気センサーが前記胃内デバイスと結合するように構成される、請求項１に記載のシステム。
【請求項５】
体外に置かれ、磁場に曝露された場合に電流を生成するように構成される少なくとも１つの外部参照センサーをさらに含む、請求項１〜４の何れか１項に記載のシステム。
【請求項６】
体外に置かれ、磁場に曝露された場合に電流を生成するように構成される３つの外部参照センサーをさらに含む、請求項１〜５の何れか１項に記載のシステム。
【請求項７】
前記電磁気センサーおよび前記少なくとも１つの外部参照センサーと電気的に通信するように構成されるセンサーインタフェースユニットをさらに含む、請求項５〜６の何れか１項に記載のシステム。
【請求項８】
前記センサーインタフェースユニットおよび前記電磁場発生器と電気的に通信するように構成されるシステム制御ユニットをさらに含む、請求項７に記載のシステム。
【請求項９】
前記システム制御ユニットと電気的に通信し、体内の前記電磁気センサーの位置を示す識別子を表示するように構成されるコンピュータをさらに含む、請求項８に記載のシステム。
【請求項１０】
体外に置かれ、磁場に曝露された場合に電流を生成するように構成される少なくとも１つの外部参照センサーをさらに含み、前記コンピュータが前記少なくとも１つの外部参照センサーの位置を示す少なくとも１つの第２の識別子を表示するようにさらに構成される、請求項９に記載のシステム。
【請求項１１】
前記コンピュータが、体内の前記電磁気センサーにより伝播される経路を示す形跡を表示するようにさらに構成される、請求項９〜１０の何れか１項に記載のシステム。
【請求項１２】
前記胃内デバイスをさらに含み、前記胃内デバイスがバルーンである、請求項１〜１１の何れか１項に記載のシステム。
【請求項１３】
前記初期充填流体をさらに含み、前記胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、請求項１２に記載のシステム。
【請求項１４】
前記初期充填流体が気体Ｎ2および気体ＳＦ6を含む、請求項１３に記載のシステム。
【請求項１５】
前記ポリマー壁が、ｉｎ  ｖｉｖｏの胃内環境の条件下で、５０ｃｃ／ｍ2／日を超えるＣＯ2に対する透過性を有するように構成される、請求項１３または１４に記載のシステム。
【手続補正２】
【補正対象書類名】明細書
【補正対象項目名】１０５８
【補正方法】変更
【補正の内容】
【１０５８】
さらに、上記のものは明快性および理解のために例示および例として多少詳細に記載されたが、特定の変更および改変を実施することができることは当業者に明らかである。したがって、記載および例は、本発明の範囲をここに記載される具体的な態様および例に限定するものと解釈するべきではなく、本発明の真の範囲および精神を伴う全ての改変および代替物もカバーするものと解釈するべきである。
以下に、出願当初の請求項を実施の態様として付記する。
［１］  体内に胃内デバイスを配置するための電磁システムであって、
電磁場を発生させるように構成される電磁場発生器；
前記システムと結合するように構成され、ｉｎ  ｖｉｖｏの胃内環境中で電磁場に曝露された場合に電流を生成するようにさらに構成される嚥下可能な電磁気センサー；および
胃内容積占有デバイスが前記ｉｎ  ｖｉｖｏの胃内環境にある場合、前記胃内デバイス中に初期充填流体を導入するように構成されるバルブシステムであって、前記胃内デバイスと解放可能に結合するように構成される嚥下可能なカテーテルを含む、前記バルブシステムを含む、前記システム。
［２］  前記電磁気センサーが前記嚥下可能なカテーテルと結合するように構成される、［１］に記載のシステム。
［３］  前記電磁気センサーが前記嚥下可能なカテーテルの遠位末端と結合するように構成される、［２］に記載のシステム。
［４］  前記電磁気センサーが前記胃内デバイスと結合するように構成される、［１］に記載のシステム。
［５］  体外に置かれ、磁場に曝露された場合に電流を生成するように構成される少なくとも１つの外部参照センサーをさらに含む、［１］〜［４］の何れか１項に記載のシステム。
［６］  体外に置かれ、磁場に曝露された場合に電流を生成するように構成される３つの外部参照センサーをさらに含む、［１］〜［５］の何れか１項に記載のシステム。
［７］  前記電磁気センサーおよび前記少なくとも１つの外部参照センサーと電気的に通信するように構成されるセンサーインタフェースユニットをさらに含む、［５］〜［６］の何れか１項に記載のシステム。
［８］  前記センサーインタフェースユニットおよび前記電磁場発生器と電気的に通信するように構成されるシステム制御ユニットをさらに含む、［７］に記載のシステム。
［９］  前記システム制御ユニットと電気的に通信し、体内の前記電磁気センサーの位置を示す識別子を表示するように構成されるコンピュータをさらに含む、［８］に記載のシステム。
［１０］  体外に置かれ、磁場に曝露された場合に電流を生成するように構成される少なくとも１つの外部参照センサーをさらに含み、前記コンピュータが前記少なくとも１つの外部参照センサーの位置を示す少なくとも１つの第２の識別子を表示するようにさらに構成される、［８］に記載のシステム。
［１１］  前記コンピュータが、体内の前記電磁気センサーにより伝播される経路を示す形跡を表示するようにさらに構成される、［９］〜［１０］の何れか１項に記載のシステム。
［１２］  前記胃内デバイスをさらに含み、前記胃内デバイスがバルーンである、［１］〜［１１］の何れか１項に記載のシステム。
［１３］  前記初期充填流体をさらに含み、前記胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、［１２］に記載のシステム。
［１４］  前記ポリマー壁が、エチレンビニルアルコール層を含むＣＯ2障壁材料を含む、［１３］に記載のシステム。
［１５］  前記ポリマー壁が、ナイロン層およびポリエチレン層を含む２層のＣＯ2障壁材料を含む、［１３］に記載のシステム。
［１６］  前記ポリマー壁が、ナイロン層、ポリ塩化ビニリデン層、およびポリエチレン層を含む３層のＣＯ2障壁材料を含む、［１３］に記載のシステム。
［１７］  前記ポリマー壁が、ナイロン層、エチレンビニルアルコール層、およびポリエチレン層を含む３層のＣＯ2障壁材料を含む、［１３］に記載のシステム。
［１８］  前記初期充填流体が気体Ｎ2から本質的になる、［１３］〜［１７］の何れか１項に記載のシステム。
［１９］  前記初期充填流体が気体Ｎ2および気体ＣＯ2から本質的になる、［１３］〜［１７］の何れか１項に記載のシステム。
［２０］  前記初期充填流体が気体Ｎ2および気体ＣＯ2から本質的になり、前記気体Ｎ2が前記初期充填流体中の前記気体ＣＯ2に対して濃度過剰である、［１３］〜［１７］の何れか１項に記載のシステム。
［２１］  前記初期充填流体が液体形態、蒸気形態、または気体形態の１つ以上のＳＦ6を含む、［１３］〜［１７］の何れか１項に記載のシステム。
［２２］  前記初期充填流体が気体Ｎ2および気体ＳＦ6を含む、［１３］〜［１７］の何れか１項に記載のシステム。
［２３］  前記ポリマー壁が、ｉｎ  ｖｉｖｏの胃内環境の条件下で、５０ｃｃ／ｍ2／日を超えるＣＯ2に対する透過性を有するように構成される、［１３］〜［２２］の何れか１項に記載のシステム。
［２４］  患者の体内に胃内デバイスを電磁気的に配置するための方法であって、
前記患者の体外に設置された電磁場発生器を用いて電磁場を発生させること；
カテーテルと解放可能に結合し、前記磁場発生器により発生した電磁場の存在下で電流を生成するように構成される電磁気センサーと結合している、膨張していない胃内バルーンを含む前記胃内デバイスを、嚥下により、前記患者の体内に導入すること；
電磁場により前記電磁気センサー中に誘導された電流を感知すること；および
前記電磁気センサー中に誘導された電流の感知に基づいて前記患者内部の前記膨張していない胃内バルーンの位置を確認することを含む、前記方法。
［２５］  前記患者内部の前記膨張していない胃内バルーンの位置が前記患者の胃である、［２４］に記載の方法。
［２６］  ｉｎ  ｖｉｖｏの胃内環境の条件下で、１０ｃｃ／ｍ2／日を超えるＣＯ2の透過性を有するように構成されるポリマー壁を含む、前記膨張していない胃内バルーンの内腔に前記カテーテルを介して前記初期充填流体を導入すること；ならびに
少なくとも３０日の耐用寿命にわたって、前記膨張した胃内バルーンを前記ｉｎ  ｖｉｖｏの胃内環境に曝露することをさらに含み、前記ポリマー壁を介する前記ｉｎ  ｖｉｖｏの胃内環境から前記バルーンの前記内腔へのＣＯ2の拡散の速度および量が、少なくとも部分的には、前記初期充填流体中の不活性ガスの濃度により制御される、［２４］〜［２５］の何れか１項に記載の方法。
［２７］  前記ポリマー壁がナイロン層、ポリ塩化ビニリデン層、およびポリエチレン層を含む３層のＣＯ2障壁材料を含む、［２６］に記載の方法。
［２８］  前記ポリマー壁がナイロン層、エチレンビニルアルコール層、およびポリエチレン層を含む３層のＣＯ2障壁材料を含む、［２６］に記載の方法。
［２９］  前記ポリマー壁がナイロン層およびポリエチレン層を含む２層のＣＯ2障壁材料を含む、［２６］に記載の方法。
［３０］  前記ポリマー壁がエチレンビニルアルコール層を含むＣＯ2障壁材料を含む、［２６］に記載の方法。
［３１］  前記初期充填流体が気体Ｎ2から本質的になる、［２６］〜［３０］の何れか１項に記載の方法。
［３２］  前記初期充填流体が気体Ｎ2および気体ＣＯ2から本質的になる、［２６］〜［３１］の何れか１項に記載の方法。
［３３］  前記初期充填流体が気体Ｎ2および気体ＣＯ2から本質的になり、前記気体Ｎ2が前記初期充填流体中の前記気体ＣＯ2に対して濃度過剰である、［２６］〜［３１］の何れか１項に記載の方法。
［３４］  前記初期充填流体が液体形態、蒸気形態、または気体形態の１つ以上のＳＦ6を含む、［２６］〜［３１］の何れか１項に記載の方法。
［３５］  前記初期充填流体が気体Ｎ2および気体ＳＦ6を含む、［２６］〜［３１］の何れか１項に記載の方法。
［３６］  前記ポリマー壁が、ｉｎ  ｖｉｖｏの胃内環境の条件下で、５０ｃｃ／ｍ2／日を超えるＣＯ2に対する透過性を有するように構成される、［２６］〜［３１］の何れか１項に記載の方法。
［３７］  前記電磁気センサー中に誘導された電流の感知に基づいて前記患者内部の前記膨張していない胃内バルーンの位置を確認することが、前記電磁気センサーの位置を示す識別子をコンピュータ上に表示させることを含む、［２４］〜［３６］の何れか１項に記載の方法。
［３８］  電磁場に曝露された場合に電流を生成するように構成される少なくとも１つの外部参照センサーを、前記患者の体外に置くこと；および
電磁場により前記少なくとも１つの外部参照センサー中に誘導された電流を感知することをさらに含む、［２４］〜［３７］の何れか１項に記載の方法。
［３９］  前記電磁気センサー中に誘導された電流の感知に基づいて前記患者内部の前記膨張していない胃内バルーンの位置を確認することが、前記少なくとも１つの外部参照センサーの位置を示す少なくとも１つの第２の識別子をコンピュータ上に表示させることを含む、［３８］に記載の方法。
［４０］  前記電磁気センサーが前記カテーテルと結合している、［２４］〜［３８］の何れか１項に記載の方法。
［４１］  前記電磁気センサーが前記胃内デバイスと結合している、［２４］〜［３８］の何れか１項に記載の方法。
［４２］  体内に胃内デバイスを配置するための磁気システムであって、
磁場を感知するように構成される磁場センサー；
前記システムと結合するように構成され、ｉｎ  ｖｉｖｏの胃内環境中で局部的磁場を生成するようにさらに構成される嚥下可能な磁気マーカー；および
前記胃内デバイスが前記ｉｎ  ｖｉｖｏの胃内環境にある場合、胃内容積占有デバイス中に初期充填流体を導入するように構成されるバルブシステムであって、前記胃内デバイスと解放可能に結合するように構成される嚥下可能なカテーテルを含む、前記バルブシステムを含む、前記システム。
［４３］  前記磁気マーカーが前記嚥下可能なカテーテルと結合するように構成される、［４２］に記載のシステム。
［４４］  前記磁気マーカーが前記嚥下可能なカテーテルの遠位末端と結合するように構成される、［４３］に記載のシステム。
［４５］  前記磁気マーカーが前記胃内デバイスと結合するように構成される、［４２］に記載のシステム。
［４６］  体外に置かれ、局部的磁場を感知するように構成される少なくとも１つの外部参照センサーをさらに含む、［４２］〜［４５］の何れか１項に記載のシステム。
［４７］  前記磁気マーカーと電気的に通信するように構成されるセンサーインタフェースユニットをさらに含む、［４２］〜［４５］の何れか１項に記載のシステム。
［４８］  前記センサーインタフェースユニットおよび前記磁場センサーと電気的に通信するように構成されるシステム制御ユニットをさらに含む、［４７］に記載のシステム。
［４９］  前記システム制御ユニットと電気的に通信し、体内の前記磁気マーカーの位置を示す識別子を表示するように構成されるコンピュータをさらに含む、［４８］に記載のシステム。
［５０］  前記コンピュータが、体内の前記磁気マーカーにより伝播される経路を示す形跡を表示するようにさらに構成される、［４９］に記載のシステム。
［５１］  前記胃内デバイスをさらに含み、前記胃内デバイスがバルーンである、［４２］〜［５０］の何れか１項に記載のシステム。
［５２］  前記初期充填流体をさらに含み、前記胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、［５１］に記載のシステム。
［５３］  前記ポリマー壁が、エチレンビニルアルコール層を含むＣＯ2障壁材料を含む、［５２］に記載のシステム。
［５４］  前記ポリマー壁が、ナイロン層およびポリエチレン層を含む２層のＣＯ2障壁材料を含む、［５２］に記載のシステム。
［５５］  前記ポリマー壁が、ナイロン層、ポリ塩化ビニリデン層、およびポリエチレン層を含む３層のＣＯ2障壁材料を含む、［５２］に記載のシステム。
［５６］  前記ポリマー壁が、ナイロン層、エチレンビニルアルコール層、およびポリエチレン層を含む３層のＣＯ2障壁材料を含む、［５２］に記載のシステム。
［５７］  前記初期充填流体が気体Ｎ2から本質的になる、［５２］〜［５６］の何れか１項に記載のシステム。
［５８］  前記初期充填流体が気体Ｎ2および気体ＣＯ2から本質的になる、［５２］〜［５６］の何れか１項に記載のシステム。
［５９］  前記初期充填流体が気体Ｎ2および気体ＣＯ2から本質的になり、前記気体Ｎ2が初期充填流体中の前記気体ＣＯ2に対して濃度過剰である、［５２］〜［５６］の何れか１項に記載のシステム。
［６０］  初期充填流体が液体形態、蒸気形態、または気体形態の１つ以上のＳＦ6を含む、［５２］〜［５６］の何れか１項に記載のシステム。
［６１］  前記初期充填流体が気体Ｎ2および気体ＳＦ6を含む、［５２］〜［５６］の何れか１項に記載のシステム。
［６２］  前記ポリマー壁が、ｉｎ  ｖｉｖｏの胃内環境の条件下で、５０ｃｃ／ｍ2／日を超えるＣＯ2に対する透過性を有するように構成される、［５２］〜［６１］の何れか１項に記載のシステム。
［６３］  患者の体内に胃内デバイスを磁気的に配置するための方法であって、
カテーテルと解放可能に結合し、磁場センサーにより感知されるように構成される磁気マーカーと結合している、膨張していない胃内バルーンを含む前記胃内デバイスを、嚥下により、前記患者の体内に導入すること；
前記磁場センサーを用いて磁場を感知すること；および
前記磁場の感知に基づいて前記患者内部の前記膨張していない胃内バルーンの位置を確認することを含む、前記方法。
［６４］  前記患者内部の前記膨張していない胃内バルーンの位置が前記患者の胃である、［６３］に記載の方法。
［６５］  ｉｎ  ｖｉｖｏの胃内環境の条件下で、１０ｃｃ／ｍ2／日を超えるＣＯ2の透過性を有するように構成されるポリマー壁を含む、前記膨張していない胃内バルーンの内腔に前記カテーテルを介して前記初期充填流体を導入すること；ならびに
少なくとも３０日の耐用寿命にわたって、前記膨張した胃内バルーンを前記ｉｎ  ｖｉｖｏの胃内環境に曝露することをさらに含み、前記ポリマー壁を介する前記ｉｎ  ｖｉｖｏの胃内環境から前記バルーンの前記内腔へのＣＯ2の拡散の速度および量が、少なくとも部分的には、前記初期充填流体中の不活性ガスの濃度により制御される、［６３］〜［６４］の何れか１項に記載の方法。
［６６］  前記ポリマー壁がナイロン層、ポリ塩化ビニリデン層、およびポリエチレン層を含む３層のＣＯ2障壁材料を含む、［６５］に記載の方法。
［６７］  前記ポリマー壁がナイロン層、エチレンビニルアルコール層、およびポリエチレン層を含む３層のＣＯ2障壁材料を含む、［６５］に記載の方法。
［６８］  前記ポリマー壁がナイロン層およびポリエチレン層を含む２層のＣＯ2障壁材料を含む、［６５］に記載の方法。
［６９］  前記ポリマー壁がエチレンビニルアルコール層を含むＣＯ2障壁材料を含む、［６５］に記載の方法。
［７０］  前記初期充填流体が気体Ｎ2から本質的になる、［６５］〜［６９］の何れか１項に記載の方法。
［７１］  前記初期充填流体が気体Ｎ2および気体ＣＯ2から本質的になる、［６５］〜［６９］の何れか１項に記載の方法。
［７２］  前記初期充填流体が気体Ｎ2および気体ＣＯ2から本質的になり、前記気体Ｎ2が前記初期充填流体中の前記気体ＣＯ2に対して濃度過剰である、［６５］〜［６９］の何れか１項に記載の方法。
［７３］  前記初期充填流体が液体形態、蒸気形態、または気体形態の１つ以上のＳＦ6を含む、［６５］〜［６９］の何れか１項に記載の方法。
［７４］  前記初期充填流体が気体Ｎ2および気体ＳＦ6を含む、［６５］〜［６９］の何れか１項に記載の方法。
［７５］  前記ポリマー壁が、ｉｎ  ｖｉｖｏの胃内環境の条件下で、５０ｃｃ／ｍ2／日を超えるＣＯ2に対する透過性を有するように構成される、［６５］〜［６９］の何れか１項に記載の方法。
［７６］  前記磁気マーカーにより発生した磁場の感知に基づいて前記患者内部の前記膨張していない胃内バルーンの位置を確認することが、前記磁気マーカーの位置を示す識別子をコンピュータ上に表示させることを含む、［６３］〜［７５］の何れか１項に記載の方法。
［７７］  前記磁気マーカーが前記カテーテルと結合している、［６３］〜［７５］の何れか１項に記載の方法。
［７８］  前記電磁気センサーが前記胃内デバイスと結合している、［６３］〜［７５］の何れか１項に記載の方法。
［７９］  体内に胃内デバイスを配置するための発電システムであって、
前記システムと結合するように構成され、ｉｎ  ｖｉｖｏの胃内環境中で電圧を生成するようにさらに構成される嚥下可能な発電センサー；および
前記胃内デバイスが前記ｉｎ  ｖｉｖｏの胃内環境にある場合、胃内容積占有デバイス中に初期充填流体を導入するように構成されるバルブシステムであって、前記胃内デバイスと解放可能に結合するように構成される嚥下可能なカテーテルを含む、前記バルブシステムを含む、前記システム。
［８０］  前記発電センサーが前記嚥下可能なカテーテルと結合するように構成される、［７９］に記載のシステム。
［８１］  前記発電センサーが前記嚥下可能なカテーテルの遠位末端と結合するように構成される、［８０］に記載のシステム。
［８２］  前記発電センサーが前記胃内デバイスと結合するように構成される、［７９］に記載のシステム。
［８３］  体外に置かれ、前記発電センサーにより生成される電圧と関連するシグナルを受け取るように構成される少なくとも１つの受信器をさらに含む、［７９］〜［８２］の何れか１項に記載のシステム。
［８４］  前記発電センサーと電気的に通信するように構成されるセンサーインタフェースユニットをさらに含む、［７９］〜［８３］の何れか１項に記載のシステム。
［８５］  前記センサーインタフェースユニットおよび前記発電センサーと電気的に通信するように構成されるシステム制御ユニットをさらに含む、［８４］に記載のシステム。
［８６］  前記システム制御ユニットと電気的に通信し、体内の前記発電センサーの位置を示す識別子を表示するように構成されるコンピュータをさらに含む、［８５］に記載のシステム。
［８７］  前記胃内デバイスをさらに含み、前記胃内デバイスがバルーンである、［７９］〜［８６］の何れか１項に記載のシステム。
［８８］  前記初期充填流体をさらに含み、前記胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、［８７］に記載のシステム。
［８９］  前記ポリマー壁が、エチレンビニルアルコール層を含むＣＯ2障壁材料を含む、［８８］に記載のシステム。
［９０］  前記ポリマー壁が、ナイロン層およびポリエチレン層を含む２層のＣＯ2障壁材料を含む、［８８］に記載のシステム。
［９１］  前記ポリマー壁が、ナイロン層、エチレンビニルアルコール層、およびポリエチレン層を含む３層のＣＯ2障壁材料を含む、［８８］に記載のシステム。
［９２］  前記ポリマー壁が、ナイロン層、ポリ塩化ビニリデン層、およびポリエチレン層を含む３層のＣＯ2障壁材料を含む、［８８］に記載のシステム。
［９３］  前記初期充填流体が気体Ｎ2から本質的になる、［８８］〜［９２］の何れか１項に記載のシステム。
［９４］  前記初期充填流体が気体Ｎ2および気体ＣＯ2から本質的になる、［８８］〜［９２］の何れか１項に記載のシステム。
［９５］  前記初期充填流体が気体Ｎ2および気体ＣＯ2から本質的になり、前記気体Ｎ2が前記初期充填流体中の前記気体ＣＯ2に対して濃度過剰である、［８８］〜［９２］の何れか１項に記載のシステム。
［９６］  前記初期充填流体が液体形態、蒸気形態、または気体形態の１つ以上のＳＦ6を含む、［８８］〜［９２］の何れか１項に記載のシステム。
［９７］  前記初期充填流体が気体Ｎ2および気体ＳＦ6を含む、［８８］〜［９２］の何れか１項に記載のシステム。
［９８］  前記ポリマー壁が、ｉｎ  ｖｉｖｏの胃内環境の条件下で、５０ｃｃ／ｍ2／日を超えるＣＯ2に対する透過性を有するように構成される、［８８］〜［９７］の何れか１項に記載のシステム。
［９９］  患者の体内に胃内デバイスを発電的に配置するための方法であって、
カテーテルと解放可能に結合し、胃内環境の存在下で電圧を生成するように構成される発電センサーと結合している、膨張していない胃内バルーンを含む前記胃内デバイスを、嚥下により、前記患者の体内に導入すること；
前記胃内環境との接触に応答する前記発電センサーを用いて電圧を生成すること；および
前記生成された電圧の感知に基づいて前記患者内部の前記膨張していない胃内バルーンの位置を確認することを含む、前記方法。
［１００］  前記患者内部の前記膨張していない胃内バルーンの位置が前記患者の胃である、［９９］に記載の方法。
［１０１］  ｉｎ  ｖｉｖｏの胃内環境の条件下で、１０ｃｃ／ｍ2／日を超えるＣＯ2の透過性を有するように構成されるポリマー壁を含む、前記膨張していない胃内バルーンの内腔に前記カテーテルを介して前記初期充填流体を導入すること；ならびに
少なくとも３０日の耐用寿命にわたって、前記膨張した胃内バルーンを前記ｉｎ  ｖｉｖｏの胃内環境に曝露することをさらに含み、前記ポリマー壁を介する前記ｉｎ  ｖｉｖｏの胃内環境から前記バルーンの前記内腔へのＣＯ2の拡散の速度および量が、少なくとも部分的には、前記初期充填流体中の不活性ガスの濃度により制御される、［９９］〜［１００］の何れか１項に記載の方法。
［１０２］  前記ポリマー壁がナイロン層、ポリ塩化ビニリデン層、およびポリエチレン層を含む３層のＣＯ2障壁材料を含む、［１０１］に記載の方法。
［１０３］  前記ポリマー壁がナイロン層、エチレンビニルアルコール層、およびポリエチレン層を含む３層のＣＯ2障壁材料を含む、［１０１］に記載の方法。
［１０４］  前記ポリマー壁がナイロン層およびポリエチレン層を含む２層のＣＯ2障壁材料を含む、［１０１］に記載の方法。
［１０５］  前記ポリマー壁がエチレンビニルアルコール層を含むＣＯ2障壁材料を含む、［１０１］に記載の方法。
［１０６］  前記初期充填流体が気体Ｎ2から本質的になる、［１０１］〜［１０５］の何れか１項に記載の方法。
［１０７］  前記初期充填流体が気体Ｎ2および気体ＣＯ2から本質的になる、［１０１］〜［１０５］の何れか１項に記載の方法。
［１０８］  前記初期充填流体が気体Ｎ2および気体ＣＯ2から本質的になり、前記気体Ｎ2が前記初期液中の前記気体ＣＯ2に対して濃度過剰である、［１０１］〜［１０５］の何れか１項に記載の方法。
［１０９］  前記初期充填流体が液体形態、蒸気形態、または気体形態の１つ以上のＳＦ6を含む、［１０１］〜［１０５］の何れか１項に記載の方法。
［１１０］  前記初期充填流体が気体Ｎ2および気体ＳＦ6を含む、［１０１］〜［１０５］の何れか１項に記載の方法。
［１１１］  前記ポリマー壁が、ｉｎ  ｖｉｖｏの胃内環境の条件下で、５０ｃｃ／ｍ2／日を超えるＣＯ2に対する透過性を有するように構成される、［１０１］〜［１１０］の何れか１項に記載の方法。
［１１２］  前記発電センサーが前記カテーテルと結合している、［９９］〜［１１１］の何れか１項に記載の方法。
［１１３］  前記発電センサーが前記胃内デバイスと結合している、［９９］〜［１１１］の何れか１項に記載の方法。
［１１４］  体内に胃内デバイスを配置するためのｐＨに基づくシステムであって、
前記システムと結合するように構成され、ｉｎ  ｖｉｖｏの胃内環境中の流体のｐＨレベルを感知するようにさらに構成される嚥下可能なｐＨセンサー；および
前記胃内デバイスが前記ｉｎ  ｖｉｖｏの胃内環境にある場合、胃内容積占有デバイス中に初期充填流体を導入するように構成されるバルブシステムであって、前記胃内デバイスと解放可能に結合するように構成される嚥下可能なカテーテルを含む、前記バルブシステムを含む、前記システム。
［１１５］  前記ｐＨセンサーが前記嚥下可能なカテーテルと結合するように構成される、［１１４］に記載のシステム。
［１１６］  前記ｐＨセンサーが前記嚥下可能なカテーテルの遠位末端と結合するように構成される、［１１５］に記載のシステム。
［１１７］  前記ｐＨセンサーが前記胃内デバイスと結合するように構成される、［１１４］に記載のシステム。
［１１８］  体外に置かれ、前記ｐＨセンサーにより感知されるｐＨレベルと関連するシグナルを受け取るように構成される少なくとも１つの受信器をさらに含む、［１１４］〜［１１７］の何れか１項に記載のシステム。
［１１９］  前記ｐＨセンサーと電気的に通信するように構成されるセンサーインタフェースユニットをさらに含む、［１１４］〜［１１８］の何れか１項に記載のシステム。
［１２０］  前記センサーインタフェースユニットおよび前記ｐＨセンサーと電気的に通信するように構成されるシステム制御ユニットをさらに含む、［１１９］に記載のシステム。
［１２１］  前記システム制御ユニットと電気的に通信し、体内の前記ｐＨセンサーの位置を示す識別子を表示するように構成されるコンピュータをさらに含む、［１２０］に記載のシステム。
［１２２］  前記胃内デバイスをさらに含み、前記胃内デバイスがバルーンである、［１１４］〜［１２１］の何れか１項に記載のシステム。
［１２３］  前記初期充填流体をさらに含み、ｖ胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、［１２２］に記載のシステム。
［１２４］  前記ポリマー壁が、エチレンビニルアルコール層を含むＣＯ2障壁材料を含む、［１２３］に記載のシステム。
［１２５］  前記ポリマー壁が、ナイロン層およびポリエチレン層を含む２層のＣＯ2障壁材料を含む、［１２３］に記載のシステム。
［１２６］  前記ポリマー壁が、ナイロン層、ポリ塩化ビニリデン層、およびポリエチレン層を含む３層のＣＯ2障壁材料を含む、［１２３］に記載のシステム。
［１２７］  前記ポリマー壁が、ナイロン層、エチレンビニルアルコール層、およびポリエチレン層を含む３層のＣＯ2障壁材料を含む、［１２３］に記載のシステム。
［１２８］  前記初期充填流体が気体Ｎ2から本質的になる、［１２３］〜［１２７］の何れか１項に記載のシステム。
［１２９］  前記初期充填流体が気体Ｎ2および気体ＣＯ2から本質的になる、［１２３］〜［１２７］の何れか１項に記載のシステム。
［１３０］  前記初期充填流体が気体Ｎ2および気体ＣＯ2から本質的になり、前記気体Ｎ2が初期充填流体中の前記気体ＣＯ2に対して濃度過剰である、［１２３］〜［１２７］の何れか１項に記載のシステム。
［１３１］  前記初期充填流体が液体形態、蒸気形態、または気体形態の１つ以上のＳＦ6を含む、［１２３］〜［１２７］の何れか１項に記載のシステム。
［１３２］  前記初期充填流体が気体Ｎ2および気体ＳＦ6を含む、［１２３］〜［１２７］の何れか１項に記載のシステム。
［１３３］  前記ポリマー壁が、ｉｎ  ｖｉｖｏの胃内環境の条件下で、５０ｃｃ／ｍ2／日を超えるＣＯ2に対する透過性を有するように構成される、［１２３］〜［１３２］の何れか１項に記載のシステム。
［１３４］  体内の流体のｐＨレベルの感知に基づいて患者の体内に胃内デバイスを配置するための方法であって、
カテーテルと解放可能に結合し、体内の胃内環境中の前記流体のｐＨレベルを感知するように構成されるｐＨセンサーと結合している、膨張していない胃内バルーンを含む前記胃内デバイスを、嚥下により、前記患者の体内に導入すること；
前記胃内環境との前記ｐＨセンサーの接触に応答する前記流体のｐＨレベルを感知すること；および
前記ｐＨレベルの感知に基づいて前記患者内部の前記膨張していない胃内バルーンの位置を確認することを含む、前記方法。
［１３５］  前記患者内部の前記膨張していない胃内バルーンの位置が前記患者の胃である、［１３４］に記載の方法。
［１３６］  ｎ  ｖｉｖｏの胃内環境の条件下で、１０ｃｃ／ｍ2／日を超えるＣＯ2の透過性を有するように構成されるポリマー壁を含む、前記膨張していない胃内バルーンの内腔に前記カテーテルを介して初期充填流体を導入すること；ならびに
少なくとも３０日の耐用寿命にわたって、前記膨張した胃内バルーンを前記ｉｎ  ｖｉｖｏの胃内環境に曝露することをさらに含み、前記ポリマー壁を介する前記ｉｎ  ｖｉｖｏの胃内環境から前記バルーンの前記内腔へのＣＯ2の拡散の速度および量が、少なくとも部分的には、前記初期充填流体中の不活性ガスの濃度により制御される、［１３４］〜［１３５］の何れか１項に記載の方法。
［１３７］  前記ポリマー壁がナイロン層、ポリ塩化ビニリデン層、およびポリエチレン層を含む３層のＣＯ2障壁材料を含む、［１３６］に記載の方法。
［１３８］  前記ポリマー壁がナイロン層、エチレンビニルアルコール層、およびポリエチレン層を含む３層のＣＯ2障壁材料を含む、［１３６］に記載の方法。
［１３９］  前記ポリマー壁がナイロン層およびポリエチレン層を含む２層のＣＯ2障壁材料を含む、［１３６］に記載の方法。
［１４０］  前記ポリマー壁がエチレンビニルアルコール層を含むＣＯ2障壁材料を含む、［１３６］に記載の方法。
［１４１］  前記初期充填流体が気体Ｎ2から本質的になる、［１３６］〜［１４０］の何れか１項に記載の方法。
［１４２］  前記初期充填流体が気体Ｎ2および気体ＣＯ2から本質的になる、［１３６］〜［１４０］の何れか１項に記載の方法。
［１４３］  前記初期充填流体が気体Ｎ2および気体ＣＯ2から本質的になり、前記気体Ｎ2が前記初期充填流体中の前記気体ＣＯ2に対して濃度過剰である、［１３６］〜［１４０］の何れか１項に記載の方法。
［１４４］  前記初期充填流体が液体形態、蒸気形態、または気体形態の１つ以上のＳＦ6を含む、［１３６］〜［１４０］の何れか１項に記載の方法。
［１４５］  初期充填流体が気体Ｎ2および気体ＳＦ6を含む、［１３６］〜［１４０］の何れか１項に記載の方法。
［１４６］  前記ポリマー壁が、ｉｎ  ｖｉｖｏの胃内環境の条件下で、５０ｃｃ／ｍ2／日を超えるＣＯ2に対する透過性を有するように構成される、［１３６］〜［１４０］の何れか１項に記載の方法。
［１４７］  前記ｐＨセンサーが前記カテーテルと結合している、［１３６］〜［１４６］の何れか１項に記載の方法。
［１４８］  前記ｐＨセンサーが前記胃内デバイスと結合している、［１３６］〜［１４６］の何れか１項に記載の方法。
［１４９］  体内に胃内デバイスを配置するための音響システムであって、
音響シグナルを発生するように構成される音響シグナル発生器；
前記システムと結合するように構成され、前記発生した音響シグナルに応答してｉｎ
ｖｉｖｏの胃内環境中で音響応答を生成するようにさらに構成される嚥下可能な音響マーカー；および
前記胃内デバイスが前記ｉｎ  ｖｉｖｏの胃内環境にある場合、胃内容積占有デバイス中に初期充填流体を導入するように構成されるバルブシステムであって、前記胃内デバイスと解放可能に結合するように構成される嚥下可能なカテーテルを含む、前記バルブシステムを含む、前記システム。
［１５０］  前記音響マーカーが前記嚥下可能なカテーテルと結合するように構成される、［１４９］に記載のシステム。
［１５１］  前記音響マーカーが前記嚥下可能なカテーテルの遠位末端と結合するように構成される、［１５０］に記載のシステム。
［１５２］  前記音響マーカーが前記胃内デバイスと結合するように構成される、［１４９］に記載のシステム。
［１５３］  体外に置かれ、前記音響マーカーの前記音響応答を感知するように構成される少なくとも１つの外部音響センサーをさらに含む、［１４９］〜［１５２］の何れか１項に記載のシステム。
［１５４］  前記音響マーカーおよび前記音響センサーと電気的に通信するように構成されるセンサーインタフェースユニットをさらに含む、［１５３］に記載のシステム。
［１５５］  前記センサーインタフェースユニットと電気的に通信するように構成されるシステム制御ユニットをさらに含む、［１５４］に記載のシステム。
［１５６］  前記システム制御ユニットおよび前記音響センサーと電気的に通信し、体内の前記音響マーカーの位置を示す識別子を表示するように構成されるコンピュータをさらに含む、［１５５］に記載のシステム。
［１５７］  前記コンピュータが、体内の前記磁気マーカーにより伝播される経路を示す形跡を表示するようにさらに構成される、［１５６］に記載のシステム。
［１５８］  前記胃内デバイスをさらに含み、前記胃内デバイスがバルーンである、［１４９］〜［１５７］の何れか１項に記載のシステム。
［１５９］  前記初期充填流体をさらに含み、前記胃内デバイスが、前記ｉｎ  ｖｉｖｏの胃内環境の条件下で、１０ｃｃ／ｍ2／日を超えるＣＯ2に対する透過性を有するように構成されるポリマー壁を含み、その結果、前記ポリマー壁を介する前記ｉｎ  ｖｉｖｏの胃内環境から前記胃内デバイスの内腔へのＣＯ2の拡散の速度および量が、少なくとも部分的には、前記初期充填流体中の不活性ガスの濃度により制御される、［１５８］に記載のシステム。
［１６０］  前記ポリマー壁が、エチレンビニルアルコール層を含むＣＯ2障壁材料を含む、［１５９］に記載のシステム。
［１６１］  前記ポリマー壁が、ナイロン層およびポリエチレン層を含む２層のＣＯ2障壁材料を含む、［１５９］に記載のシステム。
［１６２］  前記ポリマー壁が、ナイロン層、ポリ塩化ビニリデン層、およびポリエチレン層を含む３層のＣＯ2障壁材料を含む、［１５９］に記載のシステム。
［１６３］  前記ポリマー壁が、ナイロン層、エチレンビニルアルコール層、およびポリエチレン層を含む３層のＣＯ2障壁材料を含む、［１５９］に記載のシステム。
［１６４］  前記初期充填流体が気体Ｎ2から本質的になる、［１５９］〜［１６３］の何れか１項に記載のシステム。
［１６５］  前記初期充填流体が気体Ｎ2および気体ＣＯ2から本質的になる、［１５９］〜［１６３］の何れか１項に記載のシステム。
［１６６］  前記初期充填流体が気体Ｎ2および気体ＣＯ2から本質的になり、前記気体Ｎ2が初期充填流体中の前記気体ＣＯ2に対して濃度過剰である、［１５９］〜［１６３］の何れか１項に記載のシステム。
［１６７］  前記初期充填流体が液体形態、蒸気形態、または気体形態の１つ以上のＳＦ6を含む、［１５９］〜［１６０］の何れか１項に記載のシステム。
［１６８］  前記初期充填流体が気体Ｎ2および気体ＳＦ6を含む、［１５９］〜［１６３］の何れか１項に記載のシステム。
［１６９］  前記ポリマー壁が、ｉｎ  ｖｉｖｏの胃内環境の条件下で、５０ｃｃ／ｍ2／日を超えるＣＯ2に対する透過性を有するように構成される、［１５９］〜［１６８］の何れか１項に記載のシステム。
［１７０］  前記音響シグナルが超音波シグナルである、［１４９］〜［１６９］の何れか１項に記載のシステム。
［１７１］  患者の体内に胃内デバイスを音響的に配置するための方法であって、
胃内デバイスがカテーテルと解放可能に結合し、音響シグナルに応答して音響応答を生成するように構成される音響マーカーと結合している、膨張していない胃内バルーンを含む前記胃内デバイスを、嚥下により、前記患者の体内に導入すること；
音響シグナルを発生させること；および
前記音響シグナルに応答して生成される音響応答に基づいて前記患者内部の前記膨張していない胃内バルーンの位置を確認することを含む、前記方法。
［１７２］  前記患者内部の前記膨張していない胃内バルーンの位置が前記患者の胃である、［１７１］に記載の方法。
［１７３］  ｉｎ  ｖｉｖｏの胃内環境の条件下で、１０ｃｃ／ｍ2／日を超えるＣＯ2の透過性を有するように構成されるポリマー壁を含む、前記膨張していない胃内バルーンの内腔に前記カテーテルを介して前記初期充填流体を導入すること；ならびに
少なくとも３０日の耐用寿命にわたって、前記膨張した胃内バルーンを前記ｉｎ  ｖｉｖｏの胃内環境に曝露することをさらに含み、前記ポリマー壁を介する前記ｉｎ  ｖｉｖｏの胃内環境から前記バルーンの前記内腔へのＣＯ2の拡散の速度および量が、少なくとも部分的には、前記初期充填流体中の不活性ガスの濃度により制御される、［１７１］〜［１７２］の何れか１項に記載の方法。
［１７４］  前記ポリマー壁がナイロン層、ポリ塩化ビニリデン層、およびポリエチレン層を含む３層のＣＯ2障壁材料を含む、［７３］に記載の方法。
［１７５］  前記ポリマー壁がナイロン層、エチレンビニルアルコール層、およびポリエチレン層を含む３層のＣＯ2障壁材料を含む、［１７３］に記載の方法。
［１７６］  前記ポリマー壁がナイロン層およびポリエチレン層を含む２層のＣＯ2障壁材料を含む、［１７３］に記載の方法。
［１７７］  前記ポリマー壁がエチレンビニルアルコール層を含むＣＯ2障壁材料を含む、［１７３］に記載の方法。
［１７８］  前記初期充填流体が気体Ｎ2から本質的になる、［１７３］〜［１７７］の何れか１項に記載の方法。
［１７９］  前記初期充填流体が気体Ｎ2および気体ＣＯ2から本質的になる、［１７３］〜［１７７］の何れか１項に記載の方法。
［１８０］  前記初期充填流体が気体Ｎ2および気体ＣＯ2から本質的になり、前記気体Ｎ2が初期充填流体中の前記気体ＣＯ2に対して濃度過剰である、［１７３］〜［１７７］の何れか１項に記載の方法。
［１８１］  前記初期充填流体が液体形態、蒸気形態、または気体形態の１つ以上のＳＦ6を含む、［１７３］〜［１７７］の何れか１項に記載の方法。
［１８２］  前記初期充填流体が気体Ｎ2および気体ＳＦ6を含む、［１７３］〜［１７７］の何れか１項に記載の方法。
［１８３］  前記ポリマー壁が、ｉｎ  ｖｉｖｏの胃内環境の条件下で、５０ｃｃ／ｍ2／日を超えるＣＯ2に対する透過性を有するように構成される、［１７３］〜［１７７］の何れか１項に記載の方法。
［１８４］  前記音響応答の感知に基づいて前記患者内部の前記膨張していない胃内バルーンの位置を確認することが、前記音響マーカーの位置を示す識別子をコンピュータ上に表示させることを含む、［１７３］〜［１７８］の何れか１項に記載の方法。
［１８５］  前記音響マーカーが前記カテーテルと結合している、［１７３］〜［１７４］の何れか１項に記載の方法。
［１８６］  前記音響マーカーが前記胃内デバイスと結合している、［１７３］〜［１８４］の何れか１項に記載の方法。
［１８７］  前記音響センサーが超音波センサーであり、前記音響マーカーが超音波マーカーである、［１７３］〜［１８６］の何れか１項に記載の方法。
［１８８］  明細書および／または図面に実質的に記載されているシステム。
［１８９］  明細書および／または図面に実質的に記載されている方法。